(57)【要約】【課題】この発明は、保守点検モードを確実に解除でき装置の稼働率を高めることができる処理装置を提供することを課題とする。【解決手段】処理装置の保守点検システム２０は、主電源と連動するリレースイッチ２２、保守キーにより切り換えられる保守キースイッチ２４、警告灯２６、警告ブザー２８、およびバックアップ電源として機能するＵＰＳ３０を有する。保守員が保守キーを抜き忘れて主電源をＯＦＦにしたとき、ＵＰＳ３０から警告灯２６および警告ブザーに対して電力供給され、警告灯２６が点灯されて警告ブザーが動作され、保守点検モードが解除されていないことが保守員に警告される。【選択図】      図３
2005165404.tif 000002
【特許請求の範囲】
【請求項１】
装置本体と、
この装置本体を動作させるための主電源と、
上記装置本体による処理モードを切り換えるモード切り換え手段と、
このモード切り換え手段によって装置本体の処理モードが通常処理モードから保守点検モードに切り換えられている状態で上記主電源をＯＦＦにした場合、警告を発する警告手段と、
を備えていることを特徴とする処理装置。
【請求項２】
上記警告手段を動作させるためのバックアップ電源をさらに備えていることを特徴とする請求項１に記載の処理装置。
【請求項３】
上記バックアップ電源は、上記警告手段を一定時間動作させるだけの電力を供給することを特徴とする請求項２に記載の処理装置。
【請求項４】
上記警告手段は、警告灯を点灯させ、および／或いは警告音を発生させることを特徴とする請求項１乃至３のいずれかに記載の処理装置。
【請求項５】
上記警告手段は、警告メッセージを表示するための表示部を有することを特徴とする請求項１乃至４のいずれかに記載の処理装置。
【請求項６】
上記モード切り換え手段は、保守キーを用いて処理モードを切り換えることを特徴とする請求項１に記載の処理装置。
【請求項７】
上記装置本体は、開閉可能なカバーを有する筐体を備え、上記カバーを開けた上記筐体の内部に上記保守キーを挿し込むことを特徴とする請求項６に記載の処理装置。
【発明の詳細な説明】
【技術分野】
【０００１】
この発明は、例えば、銀行券などの紙葉類を処理する処理装置に関する。
【背景技術】
【０００２】
従来、紙葉類の処理装置として、複数の処理ユニットを連結した銀行券自動鑑査機が知られている（例えば、特許文献１参照。）。この鑑査機では、銀行券を１枚ずつ鑑査し、再流通可能な券と、再流通不可能な券と、排除券と、に分類する。
【０００３】
この種の鑑査機は、一般に、各ユニットの筐体前面に保守点検のため開閉可能なカバーを有し、カバーを開けた筐体内部に保守キーを挿すための保守キースイッチがある。通常、カバーを開けると、安全のため、該当するユニットの駆動機構が停止するようになっている。
【０００４】
このため、保守員が鑑査機を点検する場合、該当するユニットのカバーを開けて保守キーを保守スイッチに挿し、鑑査機の動作モードを通常処理モードから保守点検モードに切り換える。この状態で、カバーを開けたまま該当するユニットの駆動機構を動作させることができ、点検が可能となる。
【０００５】
しかし、保守点検作業が終了した後、保守員が保守キーを挿したままカバーを閉じて電源をＯＦＦにしてしまうと、次にユーザが電源をＯＮにして鑑査機を動作させようとしたとき、電源投入時のイニシャライズ動作で保守モードが解除されていないことを鑑査機が判断し、エラーとなってしまう問題があった。
【特許文献１】特開２００２−２０８０６８号公報
【発明の開示】
【発明が解決しようとする課題】
【０００６】
この発明の目的は、保守点検モードを確実に解除でき装置の稼働率を高めることができる処理装置を提供することにある。
【課題を解決するための手段】
【０００７】
上記目的を達成するため、本発明の処理装置は、装置本体と、この装置本体を動作させるための主電源と、上記装置本体による処理モードを切り換えるモード切り換え手段と、このモード切り換え手段によって装置本体の処理モードが通常処理モードから保守点検モードに切り換えられている状態で上記主電源をＯＦＦにした場合、警告を発する警告手段と、を備えている。
【０００８】
上記発明によると、保守点検モードに切り換えられている状態で装置の主電源をＯＦＦにした場合、通常処理モードに戻されていないことを警告する。
【発明の効果】
【０００９】
この発明の処理装置は、上記のような構成および作用を有しているので、保守点検モードを解除し忘れた際に、警告を発することにより、保守点検モードを確実に解除でき装置の稼働率を高めることができる。
【発明を実施するための最良の形態】
【００１０】
以下、図面を参照しながらこの発明の実施の形態について詳細に説明する。  
図１には、この発明の実施の形態に係る処理装置として、銀行券などの紙葉類を処理する紙葉類処理装置１（以下、単に、処理装置１と称する）の外観斜視図を示してある。また、図２には、処理装置１の内部構造を概略的に示してある。
【００１１】
処理装置１は、２つの処理ユニット１ａ、１ｂを連結して構成され、各ユニット１ａ、１ｂの筐体の前面には開閉可能なカバー６ａ、６ｂがそれぞれ設けられている。また、処理装置１は、ユーザが操作する操作パネル２、処理対象となる複数枚の紙葉類を集積した状態で供給する供給部３、集積方向上端の紙葉類Ｐに転接して回転することにより搬送路４上に取り出す取出ロータ５、搬送路４上に取り出された紙葉類Ｐを検査する複数のセンサを有する検査部７、検査ができなかった紙葉類Ｐを集積するリジェクトスタッカ８、紙葉類Ｐを切断して失効させるシュレッダ９、および検査部７における検査結果に基づいて振り分けられた紙葉類Ｐをその種類毎に集積する４つの集積部１１、１２、１３、１４を有する。
【００１２】
各集積部１１、１２、１３、１４の下方には、集積された一定枚数の紙葉類Ｐを帯スタッカ１５から供給される紙帯（図示せず）により施封する施封装置１６がそれぞれ設けられている。また、４つの施封装置１６の下方には、各施封装置１６で施封した紙葉類Ｐの束を処理装置１の外部へ搬出するためのコンベア１７が設けられている。さらに、搬送路４の終端には、各集積部１１、１２、１３、１４に集積不可能と判定された紙葉類を集積する排除部１８が設けられている。尚、搬送路４上には、紙葉類Ｐの搬送方向を切り換えるための複数のゲートＧ1〜Ｇ6が設けられている。また、操作パネル２の近傍には、ユーザに対する各種操作案内などを表示する表示パネル１９（表示部）が設けられている。
【００１３】
図３には、本発明の保守点検システム２０（以下、単に、システム２０と称する）の概略構造を回路図にして示してある。このシステム２０は、処理装置１の処理モードが保守点検モードのまま主電源がＯＦＦにされたとき、保守員に警告を発することにより、不具合を防止するよう機能する。
【００１４】
システム２０は、装置本体を動作させるための主電源（図示せず）のＯＮ／ＯＦＦ動作に連動して切り換えられるリレースイッチ２２、保守員により差し込まれる図示しない保守キーによる操作によって切り換えられる保守キースイッチ２４（モード切り換え手段）、保守点検モードのまま主電源がＯＦＦにされたときに警告を発する本発明の警告手段として機能する警告灯２６および警告ブザー２８、およびこれら警告灯２６および警告ブザー２８を動作させるためのバックアップ電源として機能する無停電電源システム３０（uninterruptable power supply）（以下、単に、ＵＰＳ３０と称する）を備えている。
【００１５】
ＵＰＳ３０は、停電時など緊急用のバックアップ電源として機能し、主電源からの電力供給が遮断された後、一定時間（本実施の形態では２分間）処理装置１に電力供給する。尚、保守キースイッチ２４は、処理装置１の２つのカバー６ａ、６ｂのうち一方を開けた筐体内部に設けられている。
【００１６】
以下、図３とともに図４を参照して、システム２０による処理動作について説明する。  
第１に、保守キースイッチ２４がＯＦＦにされ且つ主電源がＯＦＦにされた状態（図４中左上欄）では、保守キースイッチ２４の端子Ｃと端子ＮＣ（ノーマルクローズ）が接続され且つリレースイッチ２２の端子９と端子１が接続された図３に示す状態となり、ＵＰＳ３０から警告灯２６および警告ブザー２８への電力供給が遮断され、警告灯２６が点灯されることはなく且つ警告ブザー２８が動作することもない。
【００１７】
第２に、保守キースイッチ２４がＯＦＦにされ且つ主電源がＯＮにされた状態（図４中左下欄）では、保守キースイッチ２４の端子Ｃと端子ＮＣが接続され且つリレースイッチ２２の端子９と端子５が接続され、リレースイッチ２２および保守キースイッチ２４の両方でＵＰＳ３０からの電力供給が遮断され、警告灯２６および警告ブザー２８が動作することはない。
【００１８】
第３に、保守キースイッチ２４がＯＮにされ且つ主電源がＯＮにされた状態（図４中右下欄）では、保守キースイッチ２４の端子Ｃと端子ＮＯ（ノーマルオープン）が接続され且つリレースイッチ２２の端子９と端子５が接続され、リレースイッチ２２でＵＰＳ３０からの電力供給が遮断され、警告灯２６および警告ブザー２８が動作することはない。
【００１９】
これに対し、第４に、保守キースイッチ２４がＯＮにされ且つ主電源がＯＦＦにされた状態（図４中右上欄）では、保守キースイッチ２４の端子Ｃと端子ＮＯが接続され且つリレースイッチ２２の端子９と端子１が接続され、ＵＰＳ３０からの警告灯２６および警告ブザー２８に電力が供給され、警告灯２６が点灯し且つ警告ブザー２８が警告音を発する。
【００２０】
つまり、システム２０は、処理装置１の保守点検作業を終了した保守員が保守キースイッチをＯＮにしたまま（例えば、保守キーを抜き忘れたまま）装置の主電源をＯＦＦにした場合にだけ、ＵＰＳ３０から警告灯２６および警告ブザー２８に一定時間だけ電力供給するようになっている。また、この場合、保守キースイッチ２４と連動するスイッチにより、表示パネル１９を介して保守点検モードのままであることが警告表示される。
【００２１】
以上のように、本実施の形態によると、保守員が保守キーを抜き忘れたまま処理装置１の主電源をＯＦＦにした場合であっても、警告灯２６、警告ブザー２８、および表示パネル１９によって警告がなされるため、保守点検モードから通常処理モードへ確実に切り換えることができる。これにより、次にユーザが処理装置１の主電源をＯＮにしたとき、装置のイニシャライズ動作においてエラーを生じることを防止でき、装置が不所望に停止してしまう事態を防止でき、装置の稼働率を向上させることができる。
【００２２】
また、本実施の形態のシステム２０によると、保守点検モードのまま主電源がＯＦＦにされた場合、ＵＰＳ３０によってシステム２０に一定時間電力供給して一定時間だけ警告を発するようにしたため、保守員が警告を無視、或いは気づかずにその場を立ち去ってしまっても、一定時間後に警告が解除されるため、ＵＰＳ３０の電力を大幅に消費してしまうことはない。
【００２３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２４】
例えば、上述した実施の形態では、保守点検モードのまま処理装置の主電源がＯＦＦにされたとき、警告灯および警告ブザーを動作させたが、少なくとも一方を動作させれば良い。
【図面の簡単な説明】
【００２５】
【図１】この発明の実施の形態に係る紙葉類処理装置を示す外観斜視図。
【図２】図１の処理装置の内部構造を示す概略図。
【図３】図１の処理装置の保守点検システムの回路構成を示す概略図。
【図４】図３のシステムによる処理動作を説明するための図。
【符号の説明】
【００２６】
１…紙葉類処理装置、１ａ、１ｂ…ユニット、６ａ、６ｂ…カバー、１９…表示パネル、２０…保守点検システム、２２…リレースイッチ、２４…保守キースイッチ、２６…警告灯、２８…警告ブザー、３０…ＵＰＳ。
【図１】
2005165404.tif 000003
【図２】
2005165404.tif 000004
【図３】
2005165404.tif 000005
【図４】
2005165404.tif 000006